(57)【要約】【課題】  鍵盤蓋を閉じる際にも、開く際にも、鍵盤蓋の開閉動作に応じて鍵盤蓋の回動動作を制動して鍵盤蓋を安全に開閉できる鍵盤蓋の開閉装置を提供する。【解決手段】  鍵盤蓋８に対して常に一定の負荷を与えて鍵盤蓋８の回動動作を制動する第１のダンパ部材１３と、鍵盤蓋８の閉動作に応じて鍵盤蓋８に負荷を与えて鍵盤蓋８の回動動作を制動し、且つ鍵盤蓋８の開動作に応じて鍵盤蓋８に負荷を与えて鍵盤蓋８の回動動作を制動する第２のダンパ部材１４とを備えた。従って、鍵盤蓋８を閉じる際に、第１のダンパ部材１３と第２のダンパ部材１４とによって鍵盤蓋８の閉動作を制動して遅くすることができる。また、鍵盤蓋８を開く際に、第１のダンパ部材１３と第２のダンパ部材１４とによって鍵盤蓋８の開動作を制動して遅くすることができる。【選択図】        図１
2011013250.tif 000002
【特許請求の範囲】
【請求項１】
鍵盤部を備えた楽器ケースに回動可能に取り付けられて前記鍵盤部を開閉自在に覆う鍵盤蓋の開閉装置において、
前記鍵盤蓋に対して常に一定の負荷を与えて前記鍵盤蓋の回動動作を制動する第１のダンパ部材と、
前記鍵盤蓋の閉動作に応じて前記鍵盤蓋に負荷を与えて前記鍵盤蓋の回動動作を制動し、且つ前記鍵盤蓋の開動作に応じて前記鍵盤蓋に負荷を与えて前記鍵盤蓋の回動動作を制動する第２のダンパ部材と、
を備えていることを特徴とする鍵盤蓋の開閉装置。
【請求項２】
前記第２のダンパ部材は、前記鍵盤蓋に負荷を付与するためのばね部材と、前記鍵盤蓋の閉動作に応じて前記ばね部材の弾性変形を次第に増大させ、且つ前記鍵盤蓋の開動作に応じて前記ばね部材の弾性変形を次第に増大させるばね規制部材と、を備えていることを特徴とする請求項１に記載の鍵盤蓋の開閉装置。
【請求項３】
前記ばね規制部材は、前記鍵盤蓋が完全に閉じた状態から前記鍵盤蓋が完全に開いた状態までの途中の状態で、前記ばね部材が初期状態に戻るニュートラル領域と、このニュートラル領域を境にして前記鍵盤蓋が閉じる際における前記鍵盤蓋の閉動作に応じて前記ばね部材の弾性変形を増大させる第１ばね変形領域と、前記ニュートラル領域を境にして前記鍵盤蓋が開く際における前記鍵盤蓋の開動作に応じて前記ばね部材の弾性変形を増大させる第２ばね変形領域とを有し、前記鍵盤蓋の開閉動作に応じて、前記ニュートラル領域、前記第１ばね変形領域、前記第２ばね変形領域のいずれかに切り替えることを特徴とする請求項２に記載の鍵盤蓋の開閉装置。
【請求項４】
前記ばね部材はねじりコイルばねであり、
前記ばね規制部材は、前記楽器ケースに設けられた固定部材と、この固定部材に回転可能に設けられて前記ねじりコイルばねが取り付けられる回転支持軸と、この回転支持軸に一体的に取り付けられて前記鍵盤蓋が設けられるアーム部材と、前記回転支持軸に回転可能に取り付けられて前記アーム部材と連動して回転するばね制御部材とを備えており、
前記固定部材は、前記ねじりコイルばねの一端部が接離可能に弾接して前記一端部の一方側への弾性変位を規制する第１固定片と、前記ねじりコイルばねの他端部が接離可能に弾接して前記他端部の他方側への弾性変位を規制する第２固定片とを備えており、
前記ばね制御部材は、前記ねじりコイルばねの前記一端部を前記鍵盤蓋の開閉動作に応じて前記第１固定片から離れる方向に向けて弾性変位させる第１可動片と、前記ねじりコイルばねの前記他端部を前記鍵盤蓋の開閉動作に応じて前記第２固定片から離れる方向に向けて弾性変位させる第２可動片とを備えていることを特徴とする請求項３に記載の鍵盤蓋の開閉装置。
【請求項５】
前記ばね規制部材は、前記ニュートラル領域の状態のときに、前記ねじりコイルばねの前記一端部を前記第１固定片に弾接させて位置規制すると共に、前記ねじりコイルばねの前記他端部を前記第２固定片に弾接させて位置規制することにより、前記ねじりコイルばねを前記初期状態にし、
前記第１ばね変形領域の状態のときに、前記ねじりコイルばねの前記一端部を前記第１固定片に弾接させて位置規制した状態で、前記ねじりコイルばねの前記他端部を前記第２可動片が前記第２固定片から離れる方向に向けて弾性変位させることにより、前記ねじりコイルばねの弾性変形を増大させ、
前記第２ばね変形領域の状態のときに、前記ねじりコイルばねの前記他端部を前記第２固定片に弾接させて位置規制した状態で、前記ねじりコイルばねの前記一端部を前記第１可動片が前記第１固定片から離れる方向に向けて弾性変位させることにより、前記ねじりコイルばねの弾性変形を増大させることを特徴とする請求項４に記載の鍵盤蓋の開閉装置。
【請求項６】
前記鍵盤蓋の開閉動作時において前記ばね規制部材が前記第１ばね変形領域および前記第２ばね変形領域の各状態であるときに、前記アーム部材と前記ばね制御部材とを連動させ、且つ前記ばね規制部材が前記ニュートラル領域の状態のときに、前記アーム部材と前記ばね制御部材との連動を一旦解除する間欠連動部を備えていることを特徴とする請求項１〜請求項５のいずれかに記載の鍵盤蓋の開閉装置。
【請求項７】
前記第１のダンパ部材は、前記鍵盤蓋に対して常に一定の負荷を付与するためのロータリーダンパを備えていることを特徴とする請求項１〜請求項６のいずれかに記載の鍵盤蓋の開閉装置。
【発明の詳細な説明】
【技術分野】
【０００１】
この発明は、ピアノやオルガンなどの鍵盤楽器に用いられる鍵盤蓋の開閉装置に関する。
【背景技術】
【０００２】
従来、鍵盤楽器においては、特許文献１に記載されているように、楽器ケースに鍵盤蓋を蝶番によって開閉可能に取り付けた構造のものが知られている。この鍵盤蓋の開閉装置は、蝶番の一対のヒンジ片を回動可能に連結する連結軸の両端部のうち、一端部に一方のヒンジ片に当接する第１当接部をＵ字状に折り曲げて設けると共に、他端部に他方のヒンジ片に当接する第２当接部をＵ字状に逆向きに折り曲げて設けることにより、鍵盤蓋を閉じる際に、第１、第２の各当接部が両側の各ヒンジ片にそれぞれ当接して連結軸を中心に回動するため、この回動に伴って連結軸がねじれ、この連結軸のねじれに応じて鍵盤蓋に負荷を付与するように構成されている。
【先行技術文献】
【特許文献】
【０００３】
【特許文献１】特開２００３−２６３１５１号公報
【発明の概要】
【発明が解決しようとする課題】
【０００４】
しかしながら、このような従来の鍵盤蓋の開閉装置では、鍵盤蓋を閉じる際に蝶番の連結軸が徐々にねじれ、鍵盤蓋を開く際に連結軸のねじれが徐々に開放される構成であるから、鍵盤蓋を閉じるときに鍵盤蓋に負荷を与えて鍵盤蓋がゆっくり閉じるように制動することができても、鍵盤蓋を開くときには鍵盤蓋に対する負荷が徐々に軽減されるだけで、鍵盤蓋がゆっくり開くように制動することができないという問題がある。
【０００５】
この発明が解決しようとする課題は、鍵盤蓋を閉じる際においても、また鍵盤蓋を開く際においても、鍵盤蓋の開閉動作に応じて鍵盤蓋の回動動作を確実に且つ良好に制動して鍵盤蓋を安全に開閉することができる鍵盤蓋の開閉装置を提供することである。
【課題を解決するための手段】
【０００６】
この発明は、上記課題を解決するために、次のような構成要素を備えている。
請求項１に記載の発明は、鍵盤部を備えた楽器ケースに回動可能に取り付けられて前記鍵盤部を開閉自在に覆う鍵盤蓋の開閉装置において、前記鍵盤蓋に対して常に一定の負荷を与えて前記鍵盤蓋の回動動作を制動する第１のダンパ部材と、前記鍵盤蓋の閉動作に応じて前記鍵盤蓋に負荷を与えて前記鍵盤蓋の回動動作を制動し、且つ前記鍵盤蓋の開動作に応じて前記鍵盤蓋に負荷を与えて前記鍵盤蓋の回動動作を制動する第２のダンパ部材と、を備えていることを特徴とする鍵盤蓋の開閉装置である。
【０００７】
請求項２に記載の発明は、前記第２のダンパ部材が、前記鍵盤蓋に負荷を付与するためのばね部材と、前記鍵盤蓋の閉動作に応じて前記ばね部材の弾性変形を次第に増大させ、且つ前記鍵盤蓋の開動作に応じて前記ばね部材の弾性変形を次第に増大させるばね規制部材と、を備えていることを特徴とする請求項１に記載の鍵盤蓋の開閉装置である。
【０００８】
請求項３に記載の発明は、前記ばね規制部材が、前記鍵盤蓋が完全に閉じた状態から前記鍵盤蓋が完全に開いた状態までの途中の状態で、前記ばね部材が初期状態に戻るニュートラル領域と、このニュートラル領域を境にして前記鍵盤蓋が閉じる際における前記鍵盤蓋の閉動作に応じて前記ばね部材の弾性変形を増大させる第１ばね変形領域と、前記ニュートラル領域を境にして前記鍵盤蓋が開く際における前記鍵盤蓋の開動作に応じて前記ばね部材の弾性変形を増大させる第２ばね変形領域とを有し、前記鍵盤蓋の開閉動作に応じて、前記ニュートラル領域、前記第１ばね変形領域、前記第２ばね変形領域のいずれかに切り替えることを特徴とする請求項２に記載の鍵盤蓋の開閉装置である。
【０００９】
請求項４に記載の発明は、前記ばね部材がねじりコイルばねであり、前記ばね規制部材は、前記楽器ケースに設けられた固定部材と、この固定部材に回転可能に設けられて前記ねじりコイルばねが取り付けられる回転支持軸と、この回転支持軸に一体的に取り付けられて前記鍵盤蓋が設けられるアーム部材と、前記回転支持軸に回転可能に取り付けられて前記アーム部材と連動して回転するばね制御部材とを備えており、前記固定部材は、前記ねじりコイルばねの一端部が接離可能に弾接して前記一端部の一方側への弾性変位を規制する第１固定片と、前記ねじりコイルばねの他端部が接離可能に弾接して前記他端部の他方側への弾性変位を規制する第２固定片とを備えており、前記ばね制御部材は、前記ねじりコイルばねの前記一端部を前記鍵盤蓋の開閉動作に応じて前記第１固定片から離れる方向に向けて弾性変位させる第１可動片と、前記ねじりコイルばねの前記他端部を前記鍵盤蓋の開閉動作に応じて前記第２固定片から離れる方向に向けて弾性変位させる第２可動片とを備えていることを特徴とする請求項３に記載の鍵盤蓋の開閉装置である。
【００１０】
請求項５に記載の発明は、前記ばね規制部材が、前記ニュートラル領域の状態のときに、前記ねじりコイルばねの前記一端部を前記第１固定片に弾接させて位置規制すると共に、前記ねじりコイルばねの前記他端部を前記第２固定片に弾接させて位置規制することにより、前記ねじりコイルばねを前記初期状態にし、前記第１ばね変形領域の状態のときに、前記ねじりコイルばねの前記一端部を前記第１固定片に弾接させて位置規制した状態で、前記ねじりコイルばねの前記他端部を前記第２可動片が前記第２固定片から離れる方向に向けて弾性変位させることにより、前記ねじりコイルばねの弾性変形を増大させ、前記第２ばね変形領域の状態のときに、前記ねじりコイルばねの前記他端部を前記第２固定片に弾接させて位置規制した状態で、前記ねじりコイルばねの前記一端部を前記第１可動片が前記第１固定片から離れる方向に向けて弾性変位させることにより、前記ねじりコイルばねの弾性変形を増大させることを特徴とする請求項４に記載の鍵盤蓋の開閉装置である。
【００１１】
請求項６に記載の発明は、前記鍵盤蓋の開閉動作時において前記ばね規制部材が前記第１ばね変形領域および前記第２ばね変形領域の各状態であるときに、前記アーム部材と前記ばね制御部材とを連動させ、且つ前記ばね規制部材が前記ニュートラル領域の状態のときに、前記アーム部材と前記ばね制御部材との連動を一旦解除する間欠連動部を備えていることを特徴とする請求項１〜請求項５のいずれかに記載の鍵盤蓋の開閉装置である。
【００１２】
請求項７に記載の発明は、前記第１のダンパ部材が、前記鍵盤蓋に対して常に一定の負荷を付与するためのロータリーダンパを備えていることを特徴とする請求項１〜請求項６のいずれかに記載の鍵盤蓋の開閉装置である。
【発明の効果】
【００１３】
この発明によれば、鍵盤蓋を閉じる際に、第１のダンパ部材と第２のダンパ部材とによって鍵盤蓋の回動動作を制動して、鍵盤蓋の閉動作を遅くすることができる。また、鍵盤蓋を開く際には、第１のダンパ部材と第２のダンパ部材とによって鍵盤蓋の回動動作を制動して、鍵盤蓋の開動作を遅くすることができる。このため、鍵盤蓋を閉じる際においても、また鍵盤蓋を開く際においても、鍵盤蓋の開閉動作に応じて鍵盤蓋の回動動作を確実に且つ良好に制動することができ、これにより鍵盤蓋を安全に開閉することができる。
【図面の簡単な説明】
【００１４】
【図１】この発明を適用した鍵盤楽器の一実施形態において鍵盤蓋を閉じた状態を示した要部の断面図である。
【図２】図１の鍵盤楽器において鍵盤蓋を開いた状態を示した要部の断面図である。
【図３】図１および図２の鍵盤楽器において第１のダンパ部材の動作状態を示した要部の拡大断面図である。
【図４】図１および図２の鍵盤楽器において第２のダンパ部材の動作状態を示した要部の拡大断面図である。
【図５】図４の第２のダンパ部材を分解して示した拡大図である。
【図６】図１の状態における第１のダンパ部材を示した要部の拡大断面図である。
【図７】図１の状態における第２のダンパ部材を示した要部の拡大断面図である。
【図８】図４における第２のダンパ部材のニュートラル領域において鍵盤蓋が開く方向に回動する状態を示した要部の拡大図である。
【図９】図８のニュートラル領域において鍵盤蓋が更に開く方向に回動してアーム部材とばね制御部材とが連動を開始する状態を示した要部の拡大図である。
【図１０】図２の状態における第１のダンパ部材を示した要部の拡大断面図である。
【図１１】図２の状態における第２のダンパ部材を示した要部の拡大断面図である。
【発明を実施するための形態】
【００１５】
以下、図１〜図１１を参照して、この発明を鍵盤楽器に適用した一実施形態について説明する。
この鍵盤楽器は、図１および図２に示すように、楽器ケース１を備えている。この楽器ケース１は、脚部を兼ねる一対の側板２と、この一対の側板２間における上部側に設けられた底板３と、この底板３の前端部（図１では左端部）上に設けられた前板４と、底板３の後端部（図１では右端部）上に設けられた背板５とを備えている。
【００１６】
この楽器ケース１の内部には、図１および図２に示すように、鍵盤部６が設けられている。この鍵盤部６は、白鍵７ａおよび黒鍵７ｂを備え、これら白鍵７ａおよび黒鍵７ｂが鍵盤シャーシ（図示せず）上に上下方向に回動可能に取り付けられた状態で多数配列された構成になっている。
【００１７】
また、この楽器ケース１の上部には、図１および図２に示すように、鍵盤蓋８が開閉装置１０によって開閉可能に設けられている。この鍵盤蓋８は、開閉装置１０によって上下方向に回動し、閉じたときに楽器ケース１上に配置されて鍵盤部６を覆い隠し、開いたときに楽器ケース１の後方（図２では右側）に少し傾いた状態で起立して鍵盤部６を露出させるように構成されている。
【００１８】
この鍵盤蓋８の開閉装置１０は、図１〜図４に示すように、楽器ケース１内の後部側に位置する一対の側板２間に回転可能に設けられた回転支持軸１１と、この回転支持軸１１に一体的に取り付けられたアーム部材１２とを備え、このアーム部材１２が鍵盤蓋８の下面に取り付けられた構成になっている。これにより、鍵盤蓋８は、アーム部材１２が取り付けられた回転支持軸１１を中心に、その回転支持軸１１およびアーム部材１２と共に上下方向に回動するように構成されている。
【００１９】
また、この開閉装置１０は、図１〜図４に示すように、鍵盤蓋８に対して常に一定の負荷を与えて鍵盤蓋８の回動動作を制動する第１のダンパ部材１３と、鍵盤蓋８の閉動作に応じて鍵盤蓋８に負荷を与えて鍵盤蓋８の回動動作を制動し、且つ鍵盤蓋８の開動作に応じて鍵盤蓋８に負荷を与えて鍵盤蓋８の回動動作を制動する第２のダンパ部材１４と、を備えている。
【００２０】
第１のダンパ部材１３は、図３に示すように、鍵盤蓋８に対して常に一定の負荷を与えためのロータリーダンパ１５と、回転支持軸１１に設けられて鍵盤蓋８と共に回転するほぼ扇形状のダンパ歯車１６とを備えている。ロータリーダンパ１５は、一対の側板２の内面に固定されたダンパ本体１５ａと、このダンパ本体１５ａ内に回転可能に設けられて常に一定の負荷が付与されるダンパ軸１５ｂと、このダンパ軸１５ｂがダンパ本体１５ａから突出した端部に設けられた小歯車であるピニオン１５ｃとを備えている。
【００２１】
ダンパ歯車１６は、図３、図６および図１０に示すように、ピニオン１５ｃよりも十分に大きい径の歯車であり、全体がほぼ扇形状に形成され、その要となる部分が回転支持軸１１に一体的に設けられ、この状態で鍵盤蓋８およびアーム部材１２と共に回転するように構成されている。このダンパ歯車１６の外周縁部には、ロータリーダンパ１５のピニオン１５ｃが噛み合う歯部１６ａが設けられている。
【００２２】
これにより、ロータリーダンパ１５は、図３、図６および図１０に示すように、鍵盤蓋８を開閉操作すると、その鍵盤蓋８の回動動作に伴ってアーム部材１２および回転支持軸１１が回転し、この回転支持軸１１の回転に応じてダンパ歯車１６が回転し、このダンパ歯車１６の歯部１６ａに噛み合ってダンパ軸１５ｂのピニオン１５ｃが回転する際に、ダンパ軸１５ｂに一定の負荷が付与されていることにより、鍵盤蓋８の回動動作に一定の負荷を与えて鍵盤蓋８の回動動作を制動するように構成されている。
【００２３】
一方、第２のダンパ部材１４は、図４および図５に示すように、鍵盤蓋８に負荷を付与するためのばね部材であるねじりコイルばね１７と、鍵盤蓋８の閉動作に応じてねじりコイルばね１７の弾性変形を次第に増大させ、且つ鍵盤蓋８の開動作に応じてねじりコイルばね１７の弾性変形を次第に増大させるばね規制部材１８と、を備えている。
【００２４】
ねじりコイルばね１７は、図４および図５に示すように、コイル状のばね本体部が回転支持軸１１に取り付けられると共に、このばね本体部の両端部１７ａ、１７ｂがほぼ９０度の角度で開いた状態でばね本体部の外周側に向けて延出された構成になっている。これにより、ねじりコイルばね１７は、ばね本体部の両端部１７ａ、１７ｂが互いに離れる方向、または互いに接近する方向に弾性変位することにより、ばね本体部が弾力的にねじれて弾性変形するように構成されている。
【００２５】
ばね規制部材１８は、図４、図８、図９に示すように、鍵盤蓋８が完全に閉じた状態から鍵盤蓋８が完全に開いた状態までの途中の状態で、ねじりコイルばね１７が初期状態に戻るニュートラル領域Ａと、図７に示すように、ニュートラル領域Ａを境にして鍵盤蓋８が閉じる際における鍵盤蓋８の閉動作に応じてねじりコイルばね１７の弾性変形を増大させる第１ばね変形領域Ｂとを有している。
【００２６】
また、このばね規制部材１８は、図１１に示すように、ニュートラル領域Ａを境にして鍵盤蓋８が開く際における鍵盤蓋８の開動作に応じてねじりコイルばね１７の弾性変形を増大させる第２ばね変形領域Ｃを更に有している。これにより、ばね規制部材１８は、鍵盤蓋８の開閉動作に応じて、ニュートラル領域Ａ、第１ばね変形領域Ｂ、第２ばね変形領域Ｃのいずれかに切り替えるように構成されている。
【００２７】
すなわち、このばね規制部材１８を構成する要素は、図４および図５に示すように、楽器ケース１に設けられた固定部材２０と、この固定部材２０に回転可能に支持されてねじりコイルばね１７が取り付けられる回転支持軸１１と、この回転支持軸１１に取り付けられて鍵盤蓋８が設けられるアーム部材１２と、回転支持軸１１に回転可能に取り付けられてアーム部材１２とほぼ連動して回転するばね制御部材２１と、このばね制御部材２１をアーム部材１２の回転と共に間欠的に連動させる間欠連動部２２とを備えている。
【００２８】
この場合、固定部材２０は、図４、図５および図７に示すように、楽器ケース１内における底板３の後部上（図７では右側部上）に固定され、その上部が楽器ケース１の前側（図７では左側）に向けて突出した構成になっている。この固定部材２０における上部の突出した先端部（図５では左端部）には、第１固定片２０ａと第２固定片２０ｂとが設けられている。
【００２９】
第１固定片２０ａは、図４および図５に示すように、固定部材２０の突出した先端部に約４５度の角度で斜め上側に向けて突出して設けられ、ねじりコイルばね１７の一端部１７ａが反時計回り方向（図４では上側）から弾接し、ねじりコイルばね１７の一端部１７ａが反時計回り方向（図４では下側）に向けて弾性変位するのを阻止するように構成されている。
【００３０】
また、第２固定片２０ｂは、図４および図５に示すように、固定部材２０の突出した先端部に約４５度の角度で斜め下側に向けて突出して設けられ、ねじりコイルばね１７の他端部１７ｂが時計回り方向（図４では右斜め下側）から弾接し、ねじりコイルばね１７の他端部１７ｂが時計回り方向（図４では左斜め上側）に向けて弾性変位するのを阻止するように構成されている。
【００３１】
これにより、固定部材２０の第１固定片２０ａと第２固定片２０ｂとは、図４および図５に示すように、その開き角度が約９０度の角度に開き、この開き角度に対向する角度（約２７０度の角度）がねじりコイルばね１７の両端部１７ａ、１７ｂの可動範囲で、この可動範囲内でねじりコイルばね１７の両端部１７ａ、１７ｂを弾性変位させるように構成されている。
【００３２】
一方、ばね制御部材２１は、図４および図５に示すように、全体がほぼコ字形状に形成され、その中間部が回転支持軸１１に回転自在に取り付けられている。このばね制御部材２１には、第１可動片２１ａと第２可動片２１ｂとが設けられている。第１可動片２１ａは、図４に示すように、ばね制御部材２１の上部側に設けられて、ねじりコイルばね１７の一端部１７ａに時計回り方向（図４では左下側）から弾接し、ねじりコイルばね１７の一端部１７ａを第１固定片２０ａから離れる時計回り方向（図４では右斜め上方）に向けて弾性変位させるように構成されている。
【００３３】
第２可動片２１ｂは、図４に示すように、ばね制御部材２１の下部側に設けられて、ねじりコイルばね１７の他端部１７ｂに反時計回り方向（図４では左上側）から弾接して、ねじりコイルばね１７の他端部１７ｂを第２固定片２０ｂから離れる反時計回り方向（図４では右斜め下側）に向けて弾性変位させるように構成されている。このばね制御部材２１の第１可動片２１ａと第２可動片２１ｂとは、図４に示すように、第１固定片２０ａと第２固定片２０ｂとの開き角度とほぼ同じ角度つまり約９０度の角度に開き、この状態で回転支持軸１１を中心にアーム部材１２と共に間欠的に連動して回動するように構成されている。
【００３４】
また、このばね規制部材１８は、図４に示すように、ニュートラル領域Ａの状態のときに、ねじりコイルばね１７の一端部１７ａが第１固定片２０ａに弾接して位置規制された状態で、このねじりコイルばね１７の一端部１７ａに第１可動片２１ａが弾接すると共に、ねじりコイルばね１７の他端部１７ｂが第２固定片２０ｂに弾接して位置規制された状態で、このねじりコイルばね１７の他端部１７ｂに第２可動片２１ｂが弾接することにより、ねじりコイルばね１７が初期状態になるように構成されている。
【００３５】
また、このばね規制部材１８は、第１ばね変形領域Ｂの状態のときに、図７に示すように、ねじりコイルばね１７の一端部１７ａが固定部材２０の第１固定片２０ａに弾接して位置規制された状態で、ねじりコイルばね１７の他端部１７ｂをばね制御部材２１の第２可動片２１ｂが第２固定片２０ｂから離れる方向、つまり反時計回り方向に向けて弾性変位させることにより、ねじりコイルばね１７を弾性変形させると共に、ねじりコイルばね１７の弾性変形を増大させて、鍵盤蓋８に負荷を付与するように構成されている。
【００３６】
さらに、このばね規制部材１８は、第２ばね変形領域Ｃの状態のときに、図１１に示すように、ねじりコイルばね１７の他端部１７ｂが固定部材２０の第２固定片２０ｂに弾接して位置規制された状態で、ねじりコイルばね１７の一端部１７ａをばね制御部材２１の第１可動片２１ａが第１固定片２０ａから離れる方向、つまり時計回り方向に向けて弾性変位させることにより、ねじりコイルばね１７を弾性変形させると共に、ねじりコイルばね１７の弾性変形を増大させて、鍵盤蓋８に負荷を付与するように構成されている。
【００３７】
ところで、アーム部材１２とばね制御部材２１とを間欠的に連動させる間欠連動部２２は、ばね規制部材１８がニュートラル領域Ａの状態のときに、図４、図８および図９に示すように、アーム部材１２とばね制御部材２１との連動を一旦解除し、ばね規制部材１８が第１ばね変形領域Ｂの状態のときに、図７に示すように、アーム部材１２とばね制御部材２１とを連動させると共に、ばね規制部材１８が第２ばね変形領域Ｃの状態のときに、図１１に示すように、アーム部材１２とばね制御部材２１とを連動させるように構成されている。
【００３８】
すなわち、この間欠連動部２２は、ばね制御部材２１の第１可動片２１ａと第２可動片２１ｂとの間に位置するアーム部材１２の箇所に設けられて、第１可動片２１ａと第２可動片２１ｂとのいずれかに当接する当接部である。この間欠連動部２２は、図４、図８、図９に示すように、ばね規制部材１８がニュートラル領域Ａの状態のときに、第１可動片２１ａと第２可動片２１ｂとの間を移動することにより、アーム部材１２とばね制御部材２１との連動を解除するように構成されている。
【００３９】
また、この間欠連動部２２は、図７に示すように、ばね規制部材１８が第１ばね変形領域Ｂの状態のときに、第２可動片２１ｂに当接して、この第２可動片２１ｂを第２固定片２０ｂから離れる反時計回り方向に移動させると共に、図１１に示すように、ばね規制部材１８が第２ばね変形領域Ｃの状態のときに、第１可動片２１ａに当接して、この第１可動片２１ａを第１固定片２０ａから離れる時計回り方向に移動させるように構成されている。
【００４０】
次に、このような鍵盤楽器の鍵盤蓋８を開閉する場合について説明する。
まず、鍵盤蓋８を閉じた状態から開く場合には、図２、図３および図１０に示すように、第１のダンパ部材１３が鍵盤蓋８に対して常に一定の負荷を与えて鍵盤蓋８の回動動作を制動すると共に、図２および図１１に示すように、鍵盤蓋８の開動作に応じて第２のダンパ部材１４が鍵盤蓋８に負荷を与えて鍵盤蓋８の回動動作を制動する。
【００４１】
すなわち、第１のダンパ部材１３は、図２および図３に示すように、鍵盤蓋８が開く方向に回動作すると、その鍵盤蓋８の回動動作に伴って回転支持軸１１が回転し、この回転支持軸１１の回転に応じてダンパ歯車１６が回転し、このダンパ歯車１６の歯部１６ａにロータリーダンパ１５のピニオン１５ｃが噛み合って回転する。
【００４２】
このとき、ロータリーダンパ１５のダンパ軸１５ｂには、常に一定の負荷が与えられているので、このダンパ軸１５ｂに設けられたピニオン１５ｃがダンパ歯車１６の歯部１６ａに噛み合って回転する際に、ピニオン１５ｃ、回転支持軸１１、および鍵盤蓋８に一定の負荷が加わり、この負荷によって鍵盤蓋８の回動動作が制動される。
【００４３】
また、第２のダンパ部材１４は、図１および図２に示すように、鍵盤蓋８が閉じた状態から開く方向に回動すると、鍵盤蓋８が図７に示す閉じた状態から図４に示す所定角度（約１５度の角度）に開くまで、つまり第１ばね変形領域Ｂからニュートラル領域Ａに到達するまでの間では、間欠連動部２２がねじりコイルばね１７のばね力によってばね制御部材２１の第２可動片２１ｂに当接していることにより、ばね制御部材２１がアーム部材１２と共に時計回り方向に連動して回動する。
【００４４】
このときには、図７に示すように、ねじりコイルばね１７の一端部１７ａが固定部材２０の第１固定片２０ａに弾接して位置規制された状態で、ばね制御部材２１の第１可動片２１ａが第１固定片２０ａに接近する方向に向けて移動すると共に、ねじりコイルばね１７の他端部１７ｂが第２可動片２１ｂに弾接した状態で、この第２可動片２１ｂが第２固定片２０ｂに接近する方向に移動する。
【００４５】
これにより、ねじりコイルばね１７の他端部１７ｂは、第２可動片２１ｂと共に第２固定片２０ｂに接近する方向に弾性変位する。このときには、ねじりコイルばね１７は、第１ばね変形領域Ｂの状態からニュートラル領域Ａの初期状態に戻るように、弾性復帰しようとするので、ばね力が徐々に減少しながら鍵盤蓋８を開く方向に作用する。このため、鍵盤蓋８を軽い力で開き始めることができる。
【００４６】
そして、図４に示すように、ねじりコイルばね１７の他端部１７ｂが第２固定片２０ｂに弾接すると、ニュートラル領域Ａの状態になる。このときには、ねじりコイルばね１７の他端部１７ｂが第２固定片２０ｂによって位置規制されると共に、第２可動片２１ｂがねじりコイルばね１７の他端部１７ｂに弾接した状態で第２固定片２０ｂの延長線上に位置する。また、ねじりコイルばね１７の一端部１７ａは、第１固定片２０ａに弾接して位置規制された状態で、第１可動片２１ａがねじりコイルばね１７の一端部１７ａに弾接した状態で第１固定片２０ａの延長線上に位置する。これにより、ねじりコイルばね１７は、初期状態に戻り、そのばね力を鍵盤蓋８に付与しないため、鍵盤蓋８は第１のダンパ部材１３のみによって開動作が制動される。
【００４７】
このニュートラル領域Ａの状態では、図８および図９に示すように、鍵盤蓋８が開く方向に回動しても、ばね制御部材２１はアーム部材１２と共に回動せず、図４に示す状態を維持する。すなわち、このニュートラル領域Ａの状態では、図８に示すように、アーム部材１２の間欠連動部２２がばね制御部材２１の第２可動片２１ｂから離れて、第１可動片２１ａに向けて移動する。このため、アーム部材１２の間欠連動部２２がばね制御部材２１の第１可動片２１ａと第２可動片２１ｂとのいずれにも当接しないので、ばね制御部材２１は回動せず、アーム部材１２が鍵盤蓋８と共に回動する。このときには、ねじりコイルばね１７のばね力が鍵盤蓋８に付与されないため、鍵盤蓋８は第１のダンパ部材１３のみによって開動作が制動される。
【００４８】
そして、鍵盤蓋８が開く方向に更に回動して、図９に示すように、鍵盤蓋８が所定角度（約９０度の角度）に開くと、アーム部材１２の間欠連動部２２がばね制御部材２１の第１可動片２１ａに当接するので、第２ばね変形領域Ｃの状態になる。この状態で、鍵盤蓋８が約９０度の角度から更に開く方向に回動すると、図２および図１１に示すように、鍵盤蓋８が後方（図１１では右側）に向けて傾いて起立し、楽器ケース１を開放して鍵盤部６を露出させる。
【００４９】
このときには、図１１に示すように、アーム部材１２の間欠連動部２２が、ばね制御部材２１の第１可動片２１ａを押し上げて第１固定片２０ａから離れる時計回り方向に移動させる。すると、図１１に示すように、第１可動片２１ａがねじりコイルばね１７の一端部１７ａを第１固定片２０ａから離れる時計回り方向に弾性変位させる。
【００５０】
これにより、ねじりコイルばね１７は、ばね本体部がねじれるように弾性変形し、そのばね力を鍵盤蓋８に付与する。このときには、鍵盤蓋８が開くに伴ってねじりコイルばね１７の弾性変形が次第に増大する。このため、鍵盤蓋８は、その開動作がねじりコイルばね１７によって制動され、鍵盤蓋８を開く力が徐々に重くなり、鍵盤蓋８の開動作を次第に遅くすることができる。このときは、第１のダンパ部材１３におけるバックラッシによるピニオン１５ｃとダンパ歯車１６の歯部１６ａとの噛み合いの遊びを防ぐことができるので、第１のダンパ部材１３によっても鍵盤蓋８が良好に制動される。
【００５１】
次に、鍵盤蓋８を開いた状態から閉じる場合について説明する。この場合には、図２、図３および図６に示すように、第１のダンパ部材１３が鍵盤蓋８に対して常に一定の負荷を与えて鍵盤蓋８の回動動作を制動すると共に、図２および図７に示すように、鍵盤蓋８の閉動作に応じて第２のダンパ部材１４が鍵盤蓋８に負荷を与えて鍵盤蓋８の回動動作を制動する。
【００５２】
すなわち、第１のダンパ部材１３は、図３に示すように、鍵盤蓋８が閉じる方向に回動するときにも、その鍵盤蓋８の回動動作に伴って回転支持軸１１が回転し、この回転支持軸１１の回転に応じてダンパ歯車１６が回転し、このダンパ歯車１６の歯部１６ａにロータリーダンパ１５のピニオン１５ｃが噛み合って回転する。
【００５３】
このときにも、ロータリーダンパ１５のダンパ軸１５ｂには、常に一定の負荷が与えられているので、このダンパ軸１５ｂに設けられたピニオン１５ｃがダンパ歯車１６の歯部１６ａに噛み合って回転する際に、ピニオン１５ｃ、回転支持軸１１、および鍵盤蓋８に一定の負荷が加わり、この負荷によって鍵盤蓋８の回動動作が制動される。
【００５４】
また、第２のダンパ部材１４は、図１１に示すように、鍵盤蓋８が完全に開いた状態から閉じる方向に回動すると、鍵盤蓋８が開いた状態から図９に示す所定角度（約９０度の角度）に閉じるまで、つまり第２ばね変形領域Ｃからニュートラル領域Ａに到達するまでの間では、間欠連動部２２がねじりコイルばね１７のばね力によってばね制御部材２１の第１可動片２１ａに当接していることにより、ばね制御部材２１がアーム部材１２と共に反時計回り方向に連動して回動する。
【００５５】
このときには、図１１に示すように、ねじりコイルばね１７の他端部１７ｂが固定部材２０の第２固定片２０ｂに弾接して位置規制された状態で、ばね制御部材２１の第２可動片２１ｂが第２固定片２０ｂに接近する方向に移動すると共に、ねじりコイルばね１７の一端部１７ａが第１可動片２１ａに弾接した状態で、この第１可動片２１ａが第１固定片２０ａに接近する方向に移動する。
【００５６】
これにより、ねじりコイルばね１７の一端部１７ａは、第１可動片２１ａと共に第１固定片２０ａに接近する方向に弾性変位する。このときには、ねじりコイルばね１７は、第２ばね変形領域Ｃの状態からニュートラル領域Ａの初期状態に戻るように、弾性復帰しようとするので、ばね力が徐々に減少しながら鍵盤蓋８を閉じる方向に作用する。このため、鍵盤蓋８を軽い力で閉じ始めることができる。
【００５７】
そして、図９に示すように、ねじりコイルばね１７の一端部１７ａが第１固定片２０ａに弾接すると、ニュートラル領域Ａの状態になる。このときには、ねじりコイルばね１７の一端部１７ａが第１固定片２０ａによって位置規制されると共に、第１可動片２１ａがねじりコイルばね１７の一端部１７ａに弾接した状態で第１固定片２０ａの延長線上に位置する。また、ねじりコイルばね１７の他端部１７ｂは、第２固定片２０ｂに弾接して位置規制された状態で、第２可動片２１ｂがねじりコイルばね１７の他端部１７ｂに弾接した状態で第２固定片２０ｂの延長線上に位置する。これにより、ねじりコイルばね１７は、初期状態に戻り、そのばね力を鍵盤蓋８に付与しないため、鍵盤蓋８は第１のダンパ部材１３のみによって閉動作が制動される。
【００５８】
このニュートラル領域Ａの状態では、図８および図９に示すように、鍵盤蓋８が閉じる方向に回動しても、ばね制御部材２１はアーム部材１２と共に回動せず、鍵盤蓋８を開く際と同様、図９に示す状態を維持する。すなわち、このニュートラル領域Ａの状態では、図８に示すように、アーム部材１２の間欠連動部２２がばね制御部材２１の第１可動片２１ａから離れて、第２可動片２１ｂに向けて移動する。このため、アーム部材１２の間欠連動部２２がばね制御部材２１の第１可動片２１ａと第２可動片２１ｂとのいずれにも当接しないので、ばね制御部材２１は回動せず、アーム部材１２が鍵盤蓋８と共に回動する。このときには、ねじりコイルばね１７のばね力が鍵盤蓋８に付与されないため、鍵盤蓋８は第１のダンパ部材１３のみによって閉動作が制動される。
【００５９】
そして、鍵盤蓋８が閉じる方向に更に回動して、図４に示すように、鍵盤蓋８が所定角度（約１５度の角度）に閉じると、アーム部材１２の間欠連動部２２がばね制御部材２１の第２可動片２１ｂに当接するので、第１ばね変形領域Ｂの状態になる。この状態で、鍵盤蓋８が約１５度の角度から更に閉じる方向に回動すると、図１および図７に示すように、鍵盤蓋８が楽器ケース１上に配置されて鍵盤部６を覆って塞ぐ。
【００６０】
このときには、図７に示すように、アーム部材１２の間欠連動部２２がばね制御部材２１の第２可動片２１ｂを押し下げて第２固定片２０ｂから離れる反時計回り方向に移動させる。すると、図７に示すように、第２可動片２１ｂがねじりコイルばね１７の他端部１７ｂを第２固定片２０ｂから離れる反時計回り方向に弾性変位させる。
【００６１】
これにより、ねじりコイルばね１７は、ばね本体部がねじれるように弾性変形し、そのばね力を鍵盤蓋８に付与する。このときには、鍵盤蓋８が閉じるのに伴ってねじりコイルばね１７の弾性変形が次第に増大する。このため、鍵盤蓋８は、その閉動作がねじりコイルばね１７によって制動され、鍵盤蓋８を閉じる力が徐々に重くなり、鍵盤蓋８の閉動作を次第に遅くすることができる。このときも、第１のダンパ部材１３におけるバックラッシによるピニオン１５ｃとダンパ歯車１６の歯部１６ａとの噛み合いの遊びを防ぐことができるので、第１のダンパ部材１３によっても鍵盤蓋８が良好に制動される。
【００６２】
このように、この鍵盤蓋８の開閉装置１０によれば、鍵盤蓋８に対して常に一定の負荷を与えて鍵盤蓋８の回動動作を制動する第１のダンパ部材１３と、鍵盤蓋８の閉動作に応じて鍵盤蓋８に負荷を与えて鍵盤蓋８の回動動作を制動し、且つ鍵盤蓋８の開動作に応じて鍵盤蓋８に負荷を与えて鍵盤蓋８の回動動作を制動する第２のダンパ部材１４とを備えているので、鍵盤蓋８が閉じる際においても、また鍵盤蓋８を開く際においても、鍵盤蓋８の開閉動作に応じて鍵盤蓋８の回動動作を確実に且つ良好に制動することができる。
【００６３】
すなわち、この鍵盤蓋８の開閉装置１０では、鍵盤蓋８を閉じる際に、第１のダンパ部材１３が鍵盤蓋８に対して常に一定の負荷を与えて鍵盤蓋８の回動動作を制動することができると共に、鍵盤蓋８の閉動作に応じて第２のダンパ部材１４が鍵盤蓋８に負荷を与えて鍵盤蓋８の回動動作を制動することができるので、鍵盤蓋８の閉じる力を重くして、鍵盤蓋８の閉動作を遅くすることができ、これにより鍵盤蓋８を安全に閉じることができる。
【００６４】
また、この鍵盤蓋８の開閉装置１０では、鍵盤蓋８を開く際に、第１のダンパ部材１３が鍵盤蓋８に対して常に一定の負荷を与えて鍵盤蓋８の回動動作を制動することができると共に、鍵盤蓋８の開動作に応じて第２のダンパ部材１４が鍵盤蓋８に負荷を与えて鍵盤蓋８の回動動作を制動することができるので、鍵盤蓋８の開く力を重くして、鍵盤蓋８の開動作を遅くすることができ、これにより鍵盤蓋８を安全に開くことができる。このため、鍵盤蓋８が閉じる際においても、また鍵盤蓋８を開く際においても、鍵盤蓋８の開閉動作に応じて鍵盤蓋８の回動動作を確実に且つ良好に制動することができ、これにより鍵盤蓋８を安全に開閉することができる。
【００６５】
この場合、第２のダンパ部材１４は、鍵盤蓋８に負荷を付与するためのばね部材であるねじりコイルばね１７と、鍵盤蓋８の閉動作に応じてねじりコイルばね１７の弾性変形を次第に増大させ、且つ鍵盤蓋８の開動作に応じてねじりコイルばね１７の弾性変形を次第に増大させるばね規制部材１８とを備えているので、鍵盤蓋８が閉じる際にも、鍵盤蓋８が開く際にも、ばね規制部材１８によってねじりコイルばね１７が鍵盤蓋８に対して付与する負荷を増大させることができる。
【００６６】
すなわち、このばね規制部材１８は、ばね部材であるねじりコイルばね１７が初期状態に戻るニュートラル領域Ａと、このニュートラル領域Ａを境にして鍵盤蓋８が閉じる際における鍵盤蓋８の閉動作に応じてねじりコイルばね１７の弾性変形を増大させる第１ばね変形領域Ｂと、ニュートラル領域Ａを境にして鍵盤蓋８が開く際における鍵盤蓋８の開動作に応じてねじりコイルばね１７の弾性変形を増大させる第２ばね変形領域Ｃとを有し、鍵盤蓋８の開閉動作に応じて各状態Ａ〜Ｃのいずれかに切り替えるので、鍵盤蓋８の開閉動作に応じてねじりコイルばね１７が鍵盤蓋８に負荷を確実に与えて鍵盤蓋８の回動動作を制動することができる。
【００６７】
すなわち、このばね規制部材１８は、鍵盤蓋８を閉じる際にニュートラル領域Ａから第１ばね変形領域Ｂに切り替え、この第１ばね変形領域Ｂの状態においてねじりコイルばね１７が鍵盤蓋８に対して付与する負荷を、ねじりコイルばね１７の弾性変形に応じて増大させることができ、また鍵盤蓋８を開く際にニュートラル領域Ａから第２ばね変形領域Ｃに切り替え、この第２ばね変形領域Ｃの状態においてねじりコイルばね１７が鍵盤蓋８に対して付与する負荷を、ねじりコイルばね１７の弾性変形に応じて増大させることができ、これにより鍵盤蓋８の開閉動作に応じて各状態Ａ〜Ｃのいずれかに切り替えて鍵盤蓋８に確実に負荷を与えて、鍵盤蓋８の回動動作を制動することができる。
【００６８】
この場合、ばね規制部材１８は、楽器ケース１に設けられた固定部材２０と、この固定部材２０に回転可能に設けられてねじりコイルばね１７が取り付けられる回転支持軸１１と、この回転支持軸１１に一体的に取り付けられて鍵盤蓋８が設けられるアーム部材１２と、回転支持軸１１に回転可能に取り付けられてアーム部材１２と間欠的に連動して回転するばね制御部材２１とを備えているので、アーム部材１２とばね制御部材２１とが連動する状態において、ねじりコイルばね１７のばね力を鍵盤蓋８に対して確実に付与することができ、これにより鍵盤蓋８を開閉する際に、鍵盤蓋８に付与される負荷によって鍵盤蓋８の回動動作を確実に且つ良好に制動することができる。
【００６９】
また、このばね規制部材１８は、固定部材２０が、ねじりコイルばね１７の一端部１７ａに接離可能に弾接して一端部１７ａの一方側への弾性変位を規制する第１固定片２０ａと、ねじりコイルばね１７の他端部１７ｂに接離可能に弾接して他端部１７ｂの他方側への弾性変位を規制する第２固定片２０ｂとを備えた構成であるから、第１固定片２０ａと第２固定片２０ｂとでねじりコイルばね１７の両端部１７ａ、１７ｂの可動範囲を確実に規制することができ、これによりねじりコイルばね１７が弾性変形する範囲を正確に規制することができる。
【００７０】
さらに、このばね規制部材１８は、ばね制御部材２１が、ねじりコイルばね１７の一端部１７ａを鍵盤蓋８の開閉動作に応じて第１固定片２０ａから離れる方向に向けて弾性変位させる第１可動片２１ａと、ねじりコイルばね１７の他端部１７ｂを鍵盤蓋８の開閉動作に応じて第２固定片２０ｂから離れる方向に向けて弾性変位させる第２可動片２１ｂとを備えた構成であるから、鍵盤蓋８の開閉動作に応じて、ねじりコイルばね１７を確実に弾性変形させることができ、この弾性変形に応じたねじりコイルばね１７のばね力を鍵盤蓋８に負荷としてを付与することができる。
【００７１】
この場合、ばね規制部材１８は、ニュートラル領域Ａの状態のときに、ねじりコイルばね１７の一端部１７ａを第１固定片２０ａに弾接させて位置規制すると共に、ねじりコイルばね１７の他端部１７ｂを第２固定片２０ｂに弾接させて位置規制することにより、ねじりコイルばね１７を初期状態にするので、ニュートラル領域Ａの状態のときに、ねじりコイルばね１７のばね力が鍵盤蓋８に対して付与されることがなく、これによりニュートラル領域Ａの状態のときに、鍵盤蓋８を円滑に且つ良好に開閉させることができる。
【００７２】
また、このばね規制部材１８は、第１ばね変形領域Ｂの状態のときに、ねじりコイルばね１７の一端部１７ａが固定部材２０の第１固定片２０ａに弾接して位置規制された状態で、ねじりコイルばね１７の他端部１７ｂをばね制御部材２１の第２可動片２１ｂが固定部材２０の第２固定片２０ｂから離す方向に向けて弾性変位させることにより、ねじりコイルばね１７の弾性変形を増大させることができるので、鍵盤蓋８が閉じるに従ってねじりコイルばね１７が鍵盤蓋８に対して付与する負荷を増大させることができ、これにより鍵盤蓋８の回動動作を次第に重くして、鍵盤蓋８の閉動作を遅らせることができるので、鍵盤蓋８を安全に閉じることができる。
【００７３】
さらに、このばね規制部材１８は、第２ばね変形領域Ｃの状態のときに、ねじりコイルばね１７の他端部１７ｂが固定部材２０の第２固定片２０ｂに弾接して位置規制された状態で、ねじりコイルばね１７の一端部１７ａをばね制御部材２１の第１可動片２１ａによって固定部材２０の第１固定片２０ａから離す方向に向けて弾性変位させることにより、ねじりコイルばね１７の弾性変形を増大させることができるので、鍵盤蓋８が開くに従ってねじりコイルばね１７が鍵盤蓋８に対して付与する負荷を増大させることができ、これにより鍵盤蓋８の回動動作を次第に重くして、鍵盤蓋８の開動作を遅らせることができるので、鍵盤蓋８を安全に開くことができる。
【００７４】
また、この鍵盤蓋８の開閉装置１０では、鍵盤蓋８の開閉動作時においてばね規制部材１８が第１ばね変形領域Ｂおよび第２ばね変形領域Ｃの各状態であるときに、アーム部材１２とばね制御部材２１とを連動させ、且つばね規制部材１８がニュートラル領域Ａの状態のときに、アーム部材１２とばね制御部材２１との連動を一旦解除する間欠連動部２２を備えているので、この間欠連動部２２によって第１ばね変形領域Ｂと第２ばね変形領域Ｃとの各状態のときに、ねじりコイルばね１７を弾性変形させて鍵盤蓋８に負荷を付与することができ、またニュートラル領域Ａの状態のときに、ねじりコイルばね１７の弾性変形を防いで、鍵盤蓋８に負荷が加わらないようにして、鍵盤蓋８を円滑に開閉させることができる。
【００７５】
すなわち、この鍵盤蓋８の開閉装置１０では、鍵盤蓋８が第１ばね変形領域Ｂの状態において完全に閉じるほぼ直前で、鍵盤蓋８に負荷を付与して鍵盤蓋８の閉動作を制動させることができ、これにより鍵盤蓋８の閉動作を遅らせることができると共に、鍵盤蓋８が第２ばね変形領域Ｃの状態において完全に開くほぼ直前で、鍵盤蓋８に負荷を付与して鍵盤蓋８の開動作を制動させることができ、これにより鍵盤蓋８の開動作を遅らせることができるほか、鍵盤蓋８が完全に閉じた状態から鍵盤蓋８が完全に開いた状態までの途中の状態で、鍵盤蓋８に対して負荷を付与すことがないので、鍵盤蓋８を円滑に且つ良好に開閉させることができる。
【００７６】
さらに、この鍵盤蓋８の開閉装置１０では、第１のダンパ部材１３が鍵盤蓋８に対して常に一定の負荷を与えためのロータリーダンパ１５を備えているので、ロータリーダンパ１５によって鍵盤蓋８に対して常に一定の負荷を与えて鍵盤蓋８の回動動作を常に制動することができる。すなわち、ロータリーダンパ１５は、ダンパ本体１５ａのダンパ軸１５ｂにピニオン１５ｃが設けられ、このピニオン１５ｃが鍵盤蓋８と共に回転する回転支持軸１１に一体的に取り付けられた扇形状のダンパ歯車１６の歯部１６ａに噛み合って回転する際に、ダンパ軸１５ｂに一定の負荷を与えて鍵盤蓋８の回動動作を制動することができるので、鍵盤蓋８に対して常に一定の負荷を与えて鍵盤蓋８の回動動作を常に制動することができる。
【００７７】
なお、上述した実施形態では、第２のダンパ部材１４が、アーム部材１２に設けられた間欠連動部２２によってばね制御部材２１を間欠的にアーム部材１２と連動するように構成した場合について述べたが、必ずしもアーム部材１２に間欠連動部２２を設ける必要はなく、アーム部材１２にばね制御部材２１を一体的に設けて、ばね制御部材２１がアーム部材１２と共に常に連動するように構成しても良い。このように構成すれば、ニュートラル領域Ａのときに、ばね制御部材２１が停止した状態でアーム部材１２のみが鍵盤蓋８と共に回動することがなく、常に鍵盤蓋８と共にばね制御部材２１を回動させてねじりコイルばね１７のばね力を鍵盤蓋８に付与することができる。
【００７８】
また、上述した実施形態では、固定部材２０に設けられた第１、第２の各固定片２０ａ、２０ｂによってねじりコイルばね１７の両端部１７ａ、１７ｂが約２７０度の角度範囲で弾性変位するように構成した場合について述べたが、これに限らず、例えば固定部材２０の第１、第２の各固定片２０ａ、２０ｂの開き角度である約９０度の範囲でねじりコイルばね１７の両端部１７ａ、１７ｂが弾性変位するように構成しても良い。
【００７９】
この場合には、第１固定片２０ａによってねじりコイルばね１７の一端部１７ａが時計回り方向に弾性変位するのを阻止し、第２固定片２０ｂによってねじりコイルばね１７の他端部１７ｂが反時計回り方向に弾性変位するのを阻止するよう構成し、且つ第１可動片２１ａがねじりコイルばね１７の一端部１７ａを反時計回り方向に向けて弾性変位させ、第２可動片２１ｂがねじりコイルばね１７の他端部１７ｂを時計回り方向に弾性変位させるように構成すれば良い。このように構成しても、上述した実施形態とほぼ同様の作用効果がある。
【００８０】
さらに、上述した実施形態では、第１のダンパ部材１３が、ダンパ軸１５ｂにピニオン１５ｃを設けたロータリーダンパ１５と、鍵盤蓋８と共に回転する回転支持軸１１に一体的に取り付けられた扇形状のダンパ歯車１６とを備え、ロータリーダンパ１５のピニオン１５ｃがダンパ歯車１６の歯部１６ａに噛み合って回転する際に、ダンパ軸１５ｂに与えられた負荷によって、鍵盤蓋８の回動動作を制動するように構成した場合について述べたが、これに限らず、ロータリーダンパ１５が、直接、回転支持軸１１に負荷を与えて鍵盤蓋８の回動動作を制動するように構成しても良い。
【００８１】
なおまた、上述した実施形態では、第２のダンパ部材１４のばね部材として、ねじりコイルばね１７を用いた場合について述べたが、必ずしもねじりコイルばね１７である必要はなく、例えばトーションばねを用いても良い。
【符号の説明】
【００８２】
１  楽器ケース
６  鍵盤部
８  鍵盤蓋
１０  開閉装置
１１  回転支持軸
１２  アーム部材
１３  第１のダンパ部材
１４  第２のダンパ部材
１５  ロータリーダンパ
１６  ダンパ歯車
１７  ねじりコイルばね
１７ａ  ねじりコイルばねの一端部
１７ｂ  ねじりコイルばねの他端部
１８  ばね規制部材
２０  固定部材
２０ａ  第１固定片
２０ｂ  第２固定片
２１  ばね制御部材
２１ａ  第１可動片
２１ｂ  第２可動片
２２  連動解除部
Ａ  ニュートラル領域
Ｂ  第１ばね変形領域
Ｃ  第２ばね変形領域
【図１】
2011013250.tif 000003
【図２】
2011013250.tif 000004
【図３】
2011013250.tif 000005
【図４】
2011013250.tif 000006
【図５】
2011013250.tif 000007
【図６】
2011013250.tif 000008
【図７】
2011013250.tif 000009
【図８】
2011013250.tif 000010
【図９】
2011013250.tif 000011
【図１０】
2011013250.tif 000012
【図１１】
2011013250.tif 000013